(57)【要約】【課題】  バルコニー空間を有効利用でき、且つ、良好な採光性と通気性を確保しつつ、両特性のバランスを保ちつつもバルコニー空間の外観を損なわずに、コストを軽減することが可能なリビングバルコニーを提供する。【解決手段】  居住室の外側面の一部に隣接して配設されるバルコニー部と、前記外側面の他の部分と前記バルコニー部の側縁に隣接する位置に上下階を貫通して設けられた吹き抜け部と、前記外側面の他の部分に居住室側に配設された物置部とを備えた。【選択図】      図１
0003116441.tif 000002
【実用新案登録請求の範囲】
【請求項１】
居住室の外側面の一部に隣接して配設されるバルコニー部と、
前記外側面の他の部分と前記バルコニー部の側縁に隣接する位置に上下階を貫通して設けられた吹き抜け部と、
前記外側面の他の部分に居住室側に配設された物置部と、
を備えたことを特徴とするリビングバルコニー。
【請求項２】
前記居住室の外側面の一部と前記バルコニー部との境界の、該外側面の両端にある２本の支柱の間に設けられ、伸縮自在に開閉する開閉部材を設けたことを特徴とする請求項１に記載のリビングバルコニー。
【請求項３】
前記居住室の外側面の下部は、該外側面に沿って同じ階を支える梁が渡されており、前記物置部は、その梁の上若しくは前記居住室側の梁の脇に設けられたことを特徴とする請求項１又は請求項２に記載のリビングバルコニー。
【請求項４】
前記居住室の外側面の一部は、該外側面の中央部分であり、前記外側面の他の部分は、該外側面の中央部分の両側に分かれており、前記吹き抜け部及び前記物置部は、該中央部分を挟む両側にあることを特徴とする請求項１乃至請求項３に記載のリビングバルコニー。
【請求項５】
前記居住室の外側面の他の部分には、前記吹き抜け部及び前記物置部が少なくとも一つずつ配設されることを特徴とする請求項１乃至請求項３のいずれかに記載のリビングバルコニー。
【考案の詳細な説明】
【技術分野】
【０００１】
本考案は、集合住宅におけるリビングバルコニーに関するものである。
【背景技術】
【０００２】
特許文献１には、容積に算入される部分を抑制し、且つ良好な採光性を確保できるバルコニーが提案されている。特許文献１に記載の発明は、居住部分に隣接して配設される基礎バルコニー部と、基礎バルコニー部の先端縁の一部から居住部分の反対側へ向けて連設される飛び出しバルコニー部とを備え、上下階を貫通する吹き抜け部が、基礎バルコニー部の先端縁と飛び出しバルコニー部の側縁とに隣接して配設されたことを特徴としている。
【０００３】
そのため、基礎バルコニー部と飛び出しバルコニー部が一体的に構成され、統一された空間を有し、且つ、吹き抜け部から基礎バルコニー部及び飛び出しバルコニーへの採光及び通気が許されている。この構成により、基礎バルコニー部及び飛び出しバルコニー部の奥行きを、それぞれ例えば２ｍとして、基礎バルコニー部に飛び出しバルコニー部を継ぎ足した広いバルコニーとしても、上述した取り扱いにより、基礎バルコニー部、飛び出しバルコニー部及び吹き抜け部のいずれの角部から２ｍ以下の部分は、容積に算入されないから、取り扱い上不利にならずに広いバルコニー（例えば、約４ｍ角、ほぼ１０畳）を得ることができる。
【０００４】
また、吹き抜け部から基礎バルコニー部及び飛び出しバルコニーへの採光及び通気が許されているので、飛び出しバルコニー部の先端縁から居住部分までの距離が長くなっても、吹き抜け部からバルコニー内や居住空間などに十分な光及び通気が到達し、居住環境を良好に保持することができる。
【０００５】
このように、良好な採光性や通気性を保持しつつ、現実的に広いバルコニーを確保できるので、従来のバルコニーの機能に加え、屋外にあるもう一つの部屋、例えば、屋外ですごすためのリビングスペース、庭用の家具を置き太陽光を浴びるガーデンルーム兼サンルームなどとして活用でき、居住空間にもゆとりを加えることができる。
【０００６】
しかし、近年の住宅事情を鑑みれば、室内に空調機器を設置することは殆ど常識化されており、空調機器に必要な給気と排気を行う室外機を、フラワーバルコニーやバルコニー等に設置する場合が多い。特に、占有可能な空間が限られる集合住宅等では、バルコニー等に設置する場合が殆どである。
【０００７】
特許文献１に記載の発明では、特に角部屋ではない場合は、集合住宅という構造上の問題から、住居部分の側面外壁部には設置できないので、室外機を基礎バルコニー部に設置することとなり、また、室内に空調機器は一台ではない可能性もあり、複数の室外機がバルコニー空間を占める割合は少ないとはいえない。よって、基礎バルコニー部と飛び出しバルコニー部が一体的に構成され、統一された空間であるバルコニー空間を有効に利用することができない。
【０００８】
また、特許文献１に記載の発明では、基礎バルコニー部を有しているため、吹き抜け部の占有領域がそこで規制されてしまい、より広い吹き抜け空間とすることができない。よって、特許文献１に記載の発明に係るバルコニー空間を用いると、採光性や通気性の確保にも限界がある。
【０００９】
【特許文献１】特許第３３４２４３１号公報
【考案の開示】
【考案が解決しようとする課題】
【００１０】
そこで本考案は、上記事情を鑑みてなされたものであり、バルコニー空間を有効利用でき、且つ、良好な採光性と通気性を確保しつつ、両特性のバランスを保ちつつもバルコニー空間の外観を損なわずに、コストを軽減することが可能なリビングバルコニーを提供することを目的とする。
【課題を解決するための手段】
【００１１】
請求項１に記載の考案は、居住室の外側面の一部に隣接して配設されるバルコニー部と、前記外側面の他の部分と前記バルコニー部の側縁に隣接する位置に上下階を貫通して設けられた吹き抜け部と、前記外側面の他の部分に居住室側に配設された物置部と、を備えたことを特徴とする。
【００１２】
請求項２に記載の考案は、請求項１に記載のリビングバルコニーであって、前記居住室の外側面の一部と前記バルコニーとの境界の、該外側面の両端にある２本の支柱の間に設けられ、伸縮自在に開閉する開閉部材を設けたことを特徴とする。
【００１３】
請求項３に記載の考案は、請求項１又は請求項２に記載のリビングバルコニーであって、前記居住室の外側面の下部は、該外側面に沿って同じ階を支える梁が渡されており、前記物置部は、その梁の上若しくは前記居住室側の梁の脇に設けられたことを特徴とする。
【００１４】
請求項４に記載の考案は、請求項１乃至請求項３に記載のリビングバルコニーであって、前記居住室の外側面の一部は、該外側面の中央部分であり、前記外側面の他の部分は、該外側面の中央部分の両側に分かれており、前記吹き抜け部及び前記物置部は、該中央部分を挟む両側にあることを特徴とする。
【００１５】
請求項５に記載の考案は、請求項１乃至請求項３のいずれかに記載のリビングバルコニーであって、前記居住室の外側面の他の部分には、前記吹き抜け部及び前記物置部が少なくとも一つずつ配設されることを特徴とする。
【考案の効果】
【００１６】
請求項１に記載の考案によれば、居住室の外側面の一部に隣接してバルコニー部が配設され、居住室の外側面の他の部分とバルコニー部の側面との間に広く吹き抜け部を設けたので、良好な採光性及び通気性を確保することができる。
【００１７】
請求項２に記載の考案によれば、居住室とバルコニー部の境界に、伸縮自在で全開放が可能な開閉部材、例えば折り畳みが可能な蛇腹状の扉を設置することで居住室とバルコニー部を簡易に一体構成とすることが可能となるので、実質的な居住室空間を広げることができる。また、それによって居住室への採光性及び通気性を向上させることができる。
【００１８】
請求項３に記載の考案によれば、バルコニー部とは別に居住室と隣接して物置部が配設され、居住室の側面に沿って同じ階を支える梁の上部若しくは居住室側の梁の脇（居住室と逆梁とで作られる空間）を用いて物置部を設置することで、バルコニー空間を占有せずに、物置部に、例えば室外機を置くことが可能となる。また、他の場所に物置部を配設することが不要となることから、建築費を削減することができる。また、集合住宅の角部屋以外の部屋でも物置部を配設することが可能となるので、バルコニー空間を占有することなく収納スペースを確保し、バルコニー部を有効に活用することができる。更に、集合住宅の角部屋は、建物の外壁に物置部等を設置する（例えば、フラワーバルコニー等）ことが可能であるが、居住室の外側面に沿って同じ階を支える梁の上部若しくは居住室側の梁の脇のスペースを利用して物置部とすることが可能となるので、新たに物置部を設置する建設費用をかけず、消費者の経済的負担を軽減することができる。
【００１９】
請求項４及び請求項５に記載の考案によれば、居住室に隣接した物置部及び吹き抜け部の設置により、バルコニー部の側縁に隣接する位置に上下階を貫通して設けられた吹き抜け部は、居住室の外壁の位置まで拡大することが可能となるため、採光性、通気性を向上することができる。また、これらを組み合わせて構成することで、各住戸の寸法や角側住戸・中側住戸などの条件にあわせて、柔軟にレイアウトを行うことができる。例えば、必要に応じて配設する物置部や吹き抜け部の数を増減することによって、経済性や家族構成等を考慮した消費者の希望に合うレイアウトを行うことが可能である。
【考案を実施するための最良の形態】
【００２０】
以下、図面を参照しながら本考案に係る実施の形態について詳細を説明する。
【００２１】
［実施の形態１］
（リビングバルコニーの全体及び各部の構成）
本考案の実施の形態１は、居住室の外側面の中央部分にバルコニー部が配設され、吹き抜け部及び物置部はバルコニー部の位置の両側に配設されたリビングバルコニーを示すものである。
【００２２】
図１に本考案の実施の形態における集合住宅の一戸の居住空間部分（以下、「居住空間１」という。）の平面図を示し、当該平面図を用いてリビングバルコニーの全体及び各部の構成を説明する。
【００２３】
居住空間１には、四方に居住空間１を支える主たる構造柱である主たる柱（以下、「柱」という。）１０〜１３が配設され、柱１０及び柱１２を結ぶ線上と、柱１１及び柱１３を結ぶ線上とに等距離を隔てて居住空間１を補助的に支える構造柱である補助柱２０，２１が配設される。補助柱２０，２１を結ぶ線上に等距離を隔てて別の補助柱２２，２３が配設されている。前記補助柱２０と２２の間であって、居住室４０側に引っ込んだ位置に物置部３０が、補助柱２１，２３の間であって、居住室４２の引っ込んだ位置に物置部３１がそれぞれ配置されている。これらは、居住室４０〜４２の外側面に沿って同じ階を支えるために渡された梁（図示せず。）上若しくは居住室側の梁の脇（居住室と逆梁とで作られる空間）を利用して配設されている。いずれの物置部も、境界８０より内側、つまり補助柱２０〜２３を結ぶ線より内側（各居住室側）に配設されている。
【００２４】
また、中央の居住室（例えば、リビングダイニング）４１の外側に隣接してバルコニー部５０が設けられている。このバルコニー部５０は、居住室４０〜４２の外側面に沿って同じ階を支えるために渡された梁と、柱１２，１３間に渡された梁６０とによって支えられている。バルコニー部５０は、両側に吹き抜け部７０，７１が隣接して配設されており、補助柱２２，２３にも補助的に支えられている。また、バルコニー部５０は、居住室４１の側面に隣接しており、それらの境界８０上のサイドの補助柱２２，２３にそれぞれ配設された袖壁１４０，１４１の間には、袖壁１４０，１４１の間が全面的に開放可能な開閉部材９０，９１が設置され、図１に示すように開閉部材９０，９１を住居者が全開放することで、居住室４１とバルコニー部５０とが一体的に構成され、実質的な居住空間を広げることが可能となる。
【００２５】
尚、本考案の実施の形態では、開閉部材９０，９１の二つを設置したが、補助柱２２，２３の間が全面的に開放可能で、且つ居住室４１とバルコニー部５０を区切ることが可能であれば、例えば一つのアコーディオン形式の部材でもよい。また、本考案ではできるだけ小さな袖壁１４０，１４１を配設することが望ましい。小さな袖壁１４０，１４１を配設することで、バルコニー部５０と居住室４１を仕切る境界８０の間口を広くし、開閉部材９０，９１を全開放したときにより一体化したように視認させる効果があるからである。また、境界８０を広くできたことで、採光性及び通気性の向上も可能とできるからである。これは、後述する実施の形態２，３とも共通する。
【００２６】
また、バルコニー部５０の先端縁には、バルコニー部５０を囲うようにして手摺り部１００が配設されている。手摺り部１００は、例えば、安全面を強化する目的でコンクリート材を用いることもあるが、強化ガラス、網入りガラス、縦格子並びに透明樹脂等といったように、採光性を損なわず、且つ安全性の高い材質のものを用いることもできる。バルコニー部５０の両側に配設されている吹き抜け部７０，７１を通ってバルコニー部及び居住室４１へ入る光の道筋を遮らせないようにするためである。また、この手摺り部１００の高さは採光性や通気性を損なうことのない高さ（例えば人の腰の高さ）に設定される。
【００２７】
吹き抜け部７０，７１は、上下階を貫通するものであり、バルコニー部５０の両側に配設されているだけでなく、物置部３０，３１の先端縁に隣接している。これにより、バルコニー部５０だけでなく、物置部３０，３１に隣接する居住室４０，４２への採光性を向上させることが可能となる。
【００２８】
（リビングバルコニーの作用・効果）
また、図２に本考案の実施の形態１のバルコニー部側の外観図、及び図３に本考案の実施の形態１の物置部側の外観図を示し、当該外観図を用いてリビングバルコニーの作用・効果について説明する。
【００２９】
前述したように、図１のバルコニー部５０は居住室４１と一体的に構成されることで、実質的な居住空間を広げることが可能である。図２に示すように、開閉部材９０，９１は前面開放するために蛇腹状に折り畳みが可能であるので、両開閉部材を折りたたんだ後にバルコニー部床５０ａ側に全開放することで、バルコニー部床５０ａと居住室床４１ａが一体化し、居住空間を広げることが可能である。尚、バルコニー部床５０ａと居住室床４１ａの境界８０は、バルコニー部床５０ａと居住室床４１ａの段差が小さく、一繋ぎの床であるかのように扱える。また、消費者の家族構成等を鑑みて、この境界８０部分をバリアフリー構造とし、より安全性を高めることも可能である。また、居住室床４１ａがリビング・ダイニングのようにフローリングであれば、バルコニー部床５０ａをウッドデッキ等の素材を用いて構成すれば、居住室床４１ａとの一体化感が増す。
【００３０】
上部吹き抜け部７０ａ、７１ａと、下部吹き抜け部７０ｂ、７１ｂは前述したように上下階を貫通するものであり、バルコニー部床５０ａと居住室床４１ａが一体化して構成される空間は、採光性、さらに屋外であるので通気性に優れ、且つ、天井面１１０に照明器具１２０を設ければ、例えば夜間の使用も可能となり、空間の利用範囲を広げることができる。
【００３１】
また、図３に示すように、物置部３０は、居住室４０と隣接しており、図１に示す境界８０より吹き抜け部７０側にはみ出さないように配設されている。また、物置部３０の先端縁には逆梁形状（床スラブ上に配置して床スラブを吊るすように支えるもの。）で、コンクリートから成る物置部手摺り３０ａが配設されている。居住室窓部４０ａと物置部手摺り３０ａの間には空間が設けられている。例えば、図３に示すように室外機１３０を設置し、バルコニー部床５０ａ上を有効に利用することが可能となる。尚、居住室４０〜４２の外側面に沿って同じ階を支えるために渡された梁（図示せず。）上の空間を利用して、前記室外機１３０が設置されている。物置部３１も同様の作用・効果を示す。
【００３２】
尚、物置部手摺り３０ａは居住室窓部４０ａから入ってくる光を遮らない程度の高さ（例えば、大人の腰の高さ程度）であるので、採光性及び通気性を損なうことはない。また、物置部３０のスペースを作り、居住室４０〜４２の側面に沿って同じ階を支えるために渡された梁（図示せず。）の構成を床スラブ上に配置して床スラブを吊るす様に支える逆梁形状ではなく、物置部３０の先端縁が平坦になるような構造のものを使用した場合は、物置部手摺り３０ａを、例えば縦格子を用いて配設することも可能である。
【００３３】
［実施の形態２］
本考案の実施の形態２は、居住室の外側面の中央部分にバルコニー部が配設され、吹き抜け部はバルコニー部の位置の両側に配設され、及び物置部はバルコニー部の位置の両側のどちらか一方に配設されるリビングバルコニーである。
【００３４】
図４に本考案の実施の形態２における集合住宅の一戸の居住空間部分（以下、「居住空間２」という。）の平面図を示し、当該平面図を用いてリビングバルコニーの全体及び各部の構成を説明する。尚、本考案の実施の形態１で説明した構造については、ここでの説明は省略し、異なる構造のものについてのみ説明する。
【００３５】
居住空間２は、居住室４３〜４５の外側面の中央部分にバルコニー部５１が配設され、吹き抜け部７２，７３はバルコニー部５１の位置の両側に配設され、及び物置部３２はバルコニー部５１の位置の両側のどちらか一方に配設されるリビングバルコニーを有するものである。実施の形態１の図１のリビングバルコニーとの相違点は、居住室４２の外側面に隣接して配設された物置部３１が無く、図４に示すように、吹き抜け部７３が居住室４５の外側面に隣接して配設されていることと、物置部３２だけが設けられている点である。
【００３６】
［実施の形態３］
本考案の実施の形態３は、居住室の外側面の一部分にバルコニー部が配設され、居住室の外側面の他の一部分に吹き抜け部及び物置部が配設されるリビングバルコニーである。
【００３７】
図５に本考案の実施の形態における集合住宅の一戸の居住空間部分（以下、「居住空間３」という。）の平面図を示し、当該平面図を用いてリビングバルコニーの全体及び各部の構成を説明する。尚、本考案の実施の形態１で説明した構造については、ここでの説明は省略し、異なる構造のものについてのみ説明する。
【００３８】
居住空間３は、居住室４６，４７の外側面の一部分にバルコニー部５２が配設され、居住室４６，４７の外側面の他の一部分に吹き抜け部７４及び物置部３３が配設されるものである。実施の形態１の図１のリビングバルコニーとの相違点は、バルコニー部５２及び物置部３３並びに吹き抜け部７４が各一つずつ含んだリビングバルコニーである点である。また、吹き抜け部７４と物置部３３との間には非常時用通路が設けられている。
【００３９】
尚、前述の実施の形態２，３においては、実施の形態１とバルコニー部及び物置部並びに吹き抜け部の配設位置が異なる点で相違するが、全開放可能な開閉部材を配設することで居住室とバルコニー部を一体化し、統一された空間として利用可能とした点では一致する。よって、それらの構成要素を加えることにより、実施の形態１と同様の作用・効果を得ることが可能となる。
【００４０】
また、本考案の実施の形態１〜３では、バルコニー部の先端縁と吹き抜け部の先端縁とが揃ったリビングバルコニーについて説明を行ったが、バルコニー部の先端縁が吹き抜け部の先端縁よりはみ出した構造であっても、本考案の作用・効果を有する。
【００４１】
以上、述べたように、本考案に係るリビングバルコニーによって、バルコニー空間を有効利用でき、且つ、良好な採光性と通気性を確保しつつ、両特性のバランスを保ちつつもバルコニー空間の外観を損なわずに、コストを軽減することが可能となる。よって、本考案は、消費者の購買意欲を増加させ、産業の発達に寄与するものである。
【図面の簡単な説明】
【００４２】
【図１】本考案の実施の形態１における集合住宅の一戸の平面図である。
【図２】本考案の実施の形態１のバルコニー部側の外観図である。
【図３】本考案の実施の形態１の物置部側の外観図である。
【図４】本考案の実施の形態２における集合住宅の一戸の平面図である。
【図５】本考案の実施の形態３における集合住宅の一戸の平面図である。
【符号の説明】
【００４３】
１、２、３    居住空間
１０、１１、１２、１３    柱
２０、２１、２２、２３    補助柱
３０、３１、３２、３３    物置部
３０ａ    物置部手摺り
４０、４１、４２、４３、４４、４５、４６、４７    居住室
４０ａ    居住室窓部
４１ａ    居住室床
５０、５１、５２    バルコニー部
５０ａ    バルコニー部床
６０    梁
７０、７１、７２、７３、７４    吹き抜け部
７０ａ、７１ａ    上部吹き抜け部
７０ｂ、７１ｂ    下部吹き抜け部
８０    境界
９０、９１    開閉部材
１００    手摺り部
１１０    天井面
１２０    照明器具
１３０    室外機
１４０、１４１    袖壁
【図１】
0003116441.tif 000003
【図２】
0003116441.tif 000004
【図３】
0003116441.tif 000005
【図４】
0003116441.tif 000006
【図５】
0003116441.tif 000007